(57)【要約】      （修正有）【課題】容器本体を回収容器用スタンド内に設置した状態で、容器本体に蓋体を密閉させた後、回収容器を取り出せる回収容器用スタンドを提供する。【解決手段】容器本体を床面に直に設置させた状態で保持するための回収容器用スタンドを以下により構成する。内部に容器本体が挿入される空間部７を有し、床面に設置されるスタンド本体５。スタンド本体の後方側の両端に固定され、上方側に延在して設けられる一対の支柱１１と、一対の支柱の上部側に設けられる蓋回動支点軸等３６ａと、蓋回動支点軸を中心に回動可能に設けられる、スタンド本体内の容器本体の開口部を開状態または閉状態にするように回動する開閉蓋１５。スタンド本体の前方側に設けられ、足で踏み込む動作により開閉蓋を開閉動作させるためのペダル部材と、ペダル部材と開閉蓋との間に設けられ、ペダル部材の踏み込み運動を開閉蓋の開閉運動に伝達するための蓋開閉リンク機構２０。【選択図】図２
0003165870.tif 000002
【実用新案登録請求の範囲】
【請求項１】
感染性廃棄物を回収して運搬するための回収容器の容器本体を床面に直に設置させた状態で保持するための回収容器用スタンドであって、
内部に前記容器本体が挿入される空間部を有し、床面に設置されるスタンド本体と、
前記スタンド本体の後方側の両端に固定され、前記スタンド本体から上方側に延在するように設けられている一対の支柱と、
前記一対の支柱の上部側に、前記一対の支柱の間に設けられる蓋回動支点軸と、
前記蓋回動支点軸を中心に回動可能に設けられ、前記スタンド本体の前記空間部内に設置された前記容器本体の開口部を開状態にする位置と前記開口部を閉状態にする位置との間で回動する開閉蓋と、
前記スタンド本体の前方側に揺動可能に設けられ、足で踏み込む動作により前記開閉蓋を開閉動作させるためのペダル部材と、
前記ペダル部材と前記開閉蓋との間に設けられ、前記ペダル部材の踏み込み運動を、前記開閉蓋の開閉運動に伝達するための蓋開閉リンク機構とからなり、
前記スタンド本体内に前記容器本体を設置した状態で、前記容器本体に蓋体を密閉させることができる
ことを特徴とする回収容器用スタンド。
【請求項２】
請求項１に記載された回収容器用スタンドにおいて、
前記スタンド本体は、
略四角形状に形成された板状の部材であって、両方の側面を構成するための一対の側板と、
前記側板の４つの角部近傍に、各々、設けられ、前記一対の側板を対向させた位置で連結して一体にするための連結部材とからなる
ことを特徴とする回収容器用スタンド。
【請求項３】
請求項１または２に記載された回収容器用スタンドにおいて、
前記開閉蓋は、茶殻が配合された合成樹脂で形成され、前記蓋回動支点軸に回動可能に設けられた蓋保持部材に着脱可能に設けられているものである
ことを特徴とする回収容器用スタンド。
【請求項４】
請求項３に記載された回収容器用スタンドにおいて、
前記蓋開閉リンク機構は、前記側板近傍に、各々、設けられた一対の蓋開閉リンク機構であり、
前記ペダル部材は、前記スタンド本体の前面側の略全幅に亘って設けられているものである
ことを特徴とする回収容器用スタンド。
【考案の詳細な説明】
【技術分野】
【０００１】
本考案は、病院、診療所、介護老人保健施設等医療関係機関で使用される医療廃棄物（感染症医療廃棄物）を回収するための感染性廃棄物の回収容器を保持するとともに足踏み操作で開閉蓋を開閉させることができる回収容器用スタンドに関する。さらに詳しくは、容器本体が回収容器用スタンド内に設置された状態で容器本体に蓋体を容易に密閉させることができる回収容器用スタンドに関する。
【背景技術】
【０００２】
医療関係機関から廃棄処理される感染性廃棄物は、保管、収集運搬及び処分に関し適正に行われることが求められている。医療施術で使用され、患者の血液や医薬品等が付着した脱脂綿、ガーゼ、おむつ、注射器、輸液点滴セットの針やチューブ類、人工透析用の器具等の医療廃棄物は、回収容器に収容される。この回収容器は、医療廃棄物が収容される容器本体と、容器本体上部の開口部を覆う蓋体とから構成されている。そして、回収容器は、開口部から投入された医療廃棄物を所定量収容した後、容器本体の開口部が蓋体で密閉される。蓋体が密閉された回収容器は、処理施設に運搬した後、焼却処理または滅菌処理が行われている。
【０００３】
この回収容器は、医療関係機関の所定の位置に置かれており、容器本体内に医療廃棄物を投入する場合には、蓋体を持ち上げなければならない。しかしながら、蓋体にさわる行為は、何らかの感染が生じる可能性があり、医療関係者等は直接さわらないほうが好ましい。そのため、一般的には、足踏み式で蓋体の開閉動作を行うことができるようにスタンドが設けられている。
【０００４】
この回収容器用スタンドに関する技術がいろいろと提案されている。例えば、蓋体の取付け及び取外し作業を容易に行うことができる回収容器用スタンドに関する技術が知られている（例えば、特許文献１参照）。また、足踏み式にて蓋体を開閉可能に、蓋体が隙間なく閉じられるようにしたゴミ容器用スタンドに関する技術が知られている（例えば、特許文献２参照）。さらに、ペダルを踏み続けることにより、蓋体カバーを持ち上げ、続いて回動させる動作機構を設け、容器が転倒した程度では蓋体が外れることがなく、廃棄物の飛び出しや散乱を生じることがない医療廃棄物用処理装置に関する技術が知られている（例えば、特許文献３参照）。
【先行技術文献】
【特許文献】
【０００５】
【特許文献１】特開２００１−４８３０３号公報
【特許文献２】特開２００５−３０６５２６号公報
【特許文献３】特開２００６−１５１６５９号公報
【考案の概要】
【考案が解決しようとする課題】
【０００６】
従来の回収容器用スタンドは、回収容器を回収容器用スタンド上に載置するものであり、ペダルへの足踏み動作を、蓋体の開閉動作に伝達するためのリンク機構の一部が回収容器の下方側に設けられている構成のものであった。そのため、回収容器の設置面は、下方にリンク機構の一部が設けられている分床面より高さが高くなっており、回収容器用スタンドには所定の高さの４本の脚部が設けられている。また、容器本体は、前述したように、医療廃棄物が満杯、または、満杯に近い状態になったとき、蓋体で密閉後、処理施設に運搬し、焼却処理または滅菌処理を行う。しかし、容器本体に蓋体を密閉する作業は、かなりの押し込み力（押し込むための荷重）を必要とする作業である。一方、回収容器は、回収容器用スタンド上にあるとき、上方側から荷重をかけて蓋体を押し込もうとすると不安定な姿勢になりやすく、転倒しそうになるので、蓋体の密閉作業を行うことが困難であった。そのため、従来の回収容器用スタンドでは、容器本体を持ち上げ、回収容器用スタンド内から回収容器用スタンドの外部に移動させた後、容器本体を床面に置き、回収容器用スタンドから蓋体を外し、容器本体に蓋体を押し込んで密閉するという作業を行っていた。このような蓋体をしていない容器本体を持ち上げたり、移動させる作業等を行うことは、回収容器内の感染性の物質を漏出させたり、回収容器の内部等に付着している感染性の物質に間違って触れてしまうなどの危険性を高くするおそれがあるという問題点があった。
【０００７】
また、回収容器用スタンド内で載置している容器本体に蓋体を押し込むことを可能とするには、回収容器用スタンドの剛性を高くする必要がある。しかし、このように剛性を高くすると回収容器用スタンドの重量が増加し、回収容器用スタンドの搬送、設置等の作業性がよくないという問題点もあった。すなわち、回収容器用スタンドの設置場所を変えるのが容易でないという問題点があった。さらに、従来の回収容器用スタンドは、正面中央部に、一足幅分の足踏み用のペダルが設けられている構成のため、足踏みのための部位幅が小さく、医療廃棄物を廃棄するために医療関係者、収集運搬関係者が移動する動線（移動経路）も限られて操作性がよくないという問題点があった。
【０００８】
一方、医療関係者、収集運搬関係者が、蓋体で密閉されていない状態で、医療廃棄物が収納された容器本体等にはなるだけ触れないようにすることができる回収容器用スタンドの開発が待望されている。前述した特許文献１〜３に記載された技術はこのような問題点を解決するためのものではない。
本考案の目的は、回収容器用スタンドから容器本体を取り出すことなく、容器本体が回収容器用スタンド内に設置された状態で容器本体に蓋体を押し込んで容易に密閉させることができるとともに、医療廃棄物等を投入するための動線を広くして、操作性を向上させることができる回収容器用スタンドを提供することにある。
【課題を解決するための手段】
【０００９】
本考案は、前記目的を達成するために次の手段をとる。
本考案１の回収容器用スタンドは、
感染性廃棄物を回収して運搬するための回収容器の容器本体を床面に直に設置させた状態で保持するための回収容器用スタンドであって、内部に前記容器本体が挿入される空間部を有し、床面に設置されるスタンド本体と、前記スタンド本体の後方側の両端に固定され、前記スタンド本体から上方側に延在するように設けられている一対の支柱と、前記一対の支柱の上部側に、前記一対の支柱の間に設けられる蓋回動支点軸と、前記蓋回動支点軸を中心に回動可能に設けられ、前記スタンド本体の前記空間部内に設置された前記容器本体の開口部を開状態にする位置と前記開口部を閉状態にする位置との間で回動する開閉蓋と、前記スタンド本体の前方側に揺動可能に設けられ、足で踏み込む動作により前記開閉蓋を開閉動作させるためのペダル部材と、前記ペダル部材と前記開閉蓋との間に設けられ、前記ペダル部材の踏み込み運動を、前記開閉蓋の開閉運動に伝達するための蓋開閉リンク機構とからなり、前記スタンド本体内に前記容器本体を設置した状態で、前記容器本体に蓋体を密閉させることができることを特徴とする。
【００１０】
本考案２の回収容器用スタンドは、本考案１において、
前記スタンド本体は、略四角形状に形成された板状の部材であって、両方の側面を構成するための一対の側板と、前記側板の４つの角部近傍に、各々、設けられ、前記一対の側板を対向させた位置で連結して一体にするための連結部材とからなることをことを特徴とする。
【００１１】
本考案３の回収容器用スタンドは、本考案１または２において、
前記開閉蓋は、茶殻が配合された合成樹脂で形成され、前記蓋回動支点軸に回動可能に設けられた蓋保持部材に着脱可能に設けられているものであることを特徴とする。
【００１２】
本考案４の回収容器用スタンドは、本考案３において、
前記蓋開閉リンク機構は、前記側板近傍に、各々、設けられた一対の蓋開閉リンク機構であり、前記ペダル部材は、前記スタンド本体の前面側の略全幅に亘って設けられているものであることを特徴とする。
【考案の効果】
【００１３】
本考案の回収容器用スタンドは、容器本体を、床に直に置く構成のものであり、容器本体を回収容器用スタンドから取り出すことなく、回収容器用スタンド内で蓋体を嵌め込み、押し込んで密閉させることができる。すなわち、回収容器用スタンドから回収容器を取り出すときには、容器本体の開口部が、蓋体で密閉されている状態になっている。そのため、収集運搬関係者、医療関係者等は、安心して回収容器を取り出すことができ、安全性の向上を図ることができる。また、床に直に置かれた状態の容器本体は、容器本体に蓋体を嵌め込み、密閉させる作業を行うとき、容器本体が安定した姿勢を維持することができ、容器本体が転倒するなどということが生じない。
【００１４】
また、この回収容器用スタンドは、回収容器の重量、蓋体を押し込むための荷重等を支持する必要がないため、剛性をそれほど必要とせず、軽量化を図ることができる。回収容器用スタンドが、合成樹脂、角パイプ等で構成され、軽量化できることは、搬送、設置、移動等の作業を容易にし、作業性、使い勝手を向上させることができる。さらに、この回収容器用スタンドは、ペダル部材がスタンド本体前面側の全幅に亘って設けられている構成のものであり、動線の幅が広くなり、操作性を向上させることができる。すなわち、医療関係者等が、最適な移動経路を移動して廃棄物処理を行うことができる。また、蓋開閉リンク機構は、一対の構成のものであり、開閉蓋の開閉動作の信頼性を向上させることができる。さらに、開閉蓋は、茶殻を配合させた合成樹脂製のものであり、抗菌性に優れ、蓋保持部材に対してねじ部材で着脱可能になっているので交換が容易である。
【図面の簡単な説明】
【００１５】
【図１】図１は、本考案の回収容器用スタンドを示す正面図である。
【図２】図２は、回収容器用スタンドの側面図である。
【図３】図３は、回収容器用スタンドの平面図である。
【図４】図４は、図２をＡ−Ａ線で切断した部分断面図である。
【図５】図５は、図２をＢ−Ｂ線で切断した部分断面図である。
【図６】図６は、図５をＣ−Ｃ線で切断した部分断面図である。
【考案を実施するための形態】
【００１６】
以下、本考案の実施の形態を図面に基づいて説明する。
図１〜図６は、本考案の回収容器用スタンドの実施の形態を示す図であって、
図１は、本考案の回収容器用スタンドを示す正面図、図２は、回収容器用スタンドの側面図、図３は、回収容器用スタンドの平面図である。図４は、図２をＡ−Ａ線で切断した部分断面図、図５は、図２をＢ−Ｂ線で切断した部分断面図、図６は、図５をＣ−Ｃ線で切断した部分断面図である。
【００１７】
本考案の回収容器用スタンドの実施の形態について説明を行う。なお、この実施の形態では、医療関係者等が医療廃棄物を投入するための立位置ＵＦ（図３参照）側を前部側、図２、３に示す矢印Ｕの方向を前後方向、図１、３に示す矢印Ｖの方向を左右方向として説明を行う。
床面Ｇには、一方の側板１０Ａ、他方の側板１０Ｂからなる一対の側板１０が立設されている。一対の側板１０は、図１、３の左右方向に一対設けられた側板であり、合成樹脂〔例えば、ＰＣ（ポリカーボネート）、ＡＢＳ（アクリロニトリル ・ブタジエン・スチレン）樹脂〕製のものであって、射出成形等で成形されている。
【００１８】
一対の側板１０の角部近傍には、連結部材３１、３２、３３、３４を取り付けるためのボルト穴が形成されている。連結部材３１、３２、３３、３４は、棒状（例えば、丸棒、角棒、六角棒）の金属材料（例えば、鋼材、アルミニウム材）を所定の長さに切断した部材である。連結部材３１、３２、３３、３４は、一方の側板１０Ａと他方の側板１０Ｂとの間に設けられている。そして、一方の側板１０Ａと連結部材３１、３２、３３、３４の一方の端部、他方の側板１０Ｂと連結部材３１、３２、３３、３４の他方の端部が一体に固定されることにより、前後方向の面、上下方向の面が開口しているスタンド本体５を構成するものである。このように構成されると、スタンド本体５の軽量化が図れ、スタンド本体５の設置、搬送等が容易になっている。なお、スタンド本体は、前後方向にも側板を設けたものであってもよい。一方の側板１０Ａ、他方の側板１０Ｂの下部には、ゴム脚１３が、各々、２個ずつ設けられている。
【００１９】
連結部材３１、３２、３３、３４の両端部には、ねじ穴が形成されている。一方の側板１０Ａのボルト穴に挿通されたねじ部材３１ａのおねじ部が、連結部材３１の一方の端部側のねじ穴にねじ込まれ、一方の側板１０Ａと連結部材３１とは、ねじ部材３１ａで締着固定されている。他方の側板１０Ｂのボルト穴に挿通されたねじ部材３１ａのおねじ部が、連結部材３１の他方の端部側のねじ穴にねじ込まれ、他方の側板１０Ｂと連結部材３１とはねじ部材３１ａで締結固定されている。同様に、一方の側板１０Ａと連結部材３２の一方の端部、他方の側板１０Ｂと連結部材３２の他方の端部が、各々、ねじ部材３２ａで締結固定されている。
【００２０】
一方の側板１０Ａの後方側には一方の支柱部材１１Ａが、他方の側板１０Ｂの後方側には他方の支柱部材１１Ｂが、各々、固定されている。一対の支柱部材１１は、一方の支柱部材１１Ａと他方の支柱部材１１Ｂとからなっている。この形態の一対の支柱部材１１（一方の支柱部材１１Ａ、他方の支柱部材１１Ｂ）は、金属（例えば、鋼、アルミニウム）製の角パイプ材を所定の長さに切断したものである。一方の支柱部材１１Ａ、他方の支柱部材１１Ｂは、一方の側板１０Ａ、他方の側板１０Ｂより上方に、所定の高さ位置まで延在している。一方の支柱部材１１Ａ、他方の支柱部材１１Ｂは、連結部材３３、連結部材３４で連結される位置に、ボルト穴が形成されている。一方の側板１０Ａ、一方の支柱部材１１Ａのボルト穴に挿通されたねじ部材３３ａのおねじ部は、連結部材３３の一方の端部側のねじ穴にねじ込まれ、一方の側板１０Ａ、一方の支柱部材１１Ａ、連結部材３３がねじ部材３３ａで締結固定されている。他方の側板１０Ｂ、他方の支柱部材１１Ｂのボルト穴に挿通されたねじ部材３３ａのおねじ部は、連結部材３３の他方の端部側のねじ穴にねじ込まれ、他方の側板１０Ｂ、他方の支柱部材１１Ｂ、連結部材３３がねじ部材３３ａで締結固定されている。
【００２１】
同様に、一方の側板１０Ａ、一方の支柱部材１１Ａのボルト穴に挿通されたねじ部材３４ａのおねじ部が、連結部材３４の一方の端部側のねじ穴にねじ込まれ、一方の側板１０Ａ、一方の支柱部材１１Ａ、連結部材３４が、ねじ部材３４ａで締結固定されている。他方の側板１０Ｂ、他方の支柱部材１１Ｂのボルト穴に挿通されたねじ部材３４ａのおねじ部が、連結部材３４の他方の端部側のねじ穴にねじ込まれ、他方の側板１０Ｂ、他方の支柱部材１１Ｂ、連結部材３４が、ねじ部材３４ａで締結固定されている。
【００２２】
連結部材３２と連結部材３４との間には、容器本体５１がスタンド本体５の空間部７に挿入されたときの前後方向の後方側の位置を規制するための容器規制部材３５が設けられている。容器規制部材３５は、一対の側板１０に、各々、形成されたボス穴１０ｃに両端を挿入されている。容器本体５１は、一対の側板１０、連結部材３２、連結部材３１、容器規制部材３５により、位置決めされて、空間部７内に設置される。容器本体５１は、床面Ｇに、直に設置される。言い換えると、容器本体５１は、高さ方向の中央近傍（例えば、図２のように中央より少し下方）の位置を、一対の側板１０、連結部材３２、容器規制部材３５で囲まれるようにして保持されている。
【００２３】
一方の支柱部材１１Ａ、他方の支柱部材１１Ｂは、上部側の所定の位置に、各々、ボルト穴１１ｃが形成されている。一方の支柱部材１１Ａのボルト穴１１ｃに挿通されたねじ部材３６ａのおねじ部が蓋回動支点軸３６の一方の端部側のねじ穴にねじ込まれ、一方の支柱部材１１Ａと蓋回動支点軸３６の一方の端部とがねじ部材３６ａで締結固定されている（図５参照）。同様に、他方の支柱部材１１Ｂのボルト穴に挿通されたねじ部材３６ａのおねじ部が蓋回動支点軸３６の他方の端部側のねじ穴にねじ込まれ、他方の支柱部材１１Ｂと蓋回動支点軸３６の他方の端部とが、ねじ部材３６ａで締結固定されている。
【００２４】
一方の側板１０Ａ、他方の側板１０Ｂには、各々、リンク支軸４０Ａ、リンク支軸４０Ｂが設けられている。図４に示すように、リンク支軸４０Ａには、第１リンク部材２２Ａが揺動可能に支持されている。リンク支軸４０Ａは、リンク支軸用穴１０ｄに嵌め込まれ、リンク支軸４０Ａのフランジ部４０ｆと止め輪４１との間に、一方の側板１０Ａのボス部、第１リンク部材２２Ａを挟み込むようにして支持している。すなわち、第１リンク部材２２Ａは、リンク支軸４０Ａの軸線方向への移動が規制され、リンク支軸４０Ａを支点（中心）にする揺動動作のみが可能な構成になっている（図４参照）。
【００２５】
他方の側板１０Ｂ側にも、図４の構成を反転させた構成のものが設けられており、第１リンク部材２２Ｂが、リンク支軸４０Ｂの軸線方向への移動が規制され、リンク支軸４０Ｂを支点（中心）にする揺動動作のみが可能な構成になっている。第１リンク部材２２Ａ、第１リンク部材２２Ｂの一端側は、一方の側板１０Ａ、他方の側板１０Ｂより突出し、スタンド本体５の前方側まで延在している。一方の側板１０Ａ、他方の側板１０Ｂの前面には、第１リンク部材２２Ａ、第１リンク部材２２Ｂを挿通させるとともに、第１リンク部材２２Ａ、第１リンク部材２２Ｂの揺動運動を可能とするためのリンク挿通用長穴１０ｅ、１０ｅが、各々、形成されている。一方の側板１０Ａ、他方の側板１０Ｂから、各々、突出した第１リンク部材２２Ａの一方の端部と、第１リンク部材２２Ｂの一方の端部との間には、ペダル部材２１が固定されている。
【００２６】
ペダル部材２１は、医療関係者、収集運搬関係者等が、開閉蓋１５を開閉動作させるために足で踏み込むためのものである。このペダル部材２１は、スタンド本体５前面側の全幅に亘って設けられている構成のものであり、動線の幅が広くなり、操作性を向上させることができる。すなわち、医療関係者、収集運搬関係者等が、複数の移動経路から最適なものを選択して廃棄物処理、回収容器取り出し等の作業を行うことができ、操作性が向上する。ペダル部材２１の両端には、各々、弾性ストッパ部材２６、２６が設けられている。弾性ストッパ部材２６、２６は、ペダル部材２１を医療関係者等が踏み込んだとき、床面Ｇに当接（接地）してペダル部材２１の揺動動作を停止させるものであり、弾性体で形成されているため、床面Ｇにソフトに接地させることができる。
【００２７】
第１リンク部材２２Ａの他方の端部と、第２リンク部材２３Ａの一方の端部とは、リンク連結軸４２を介して揺動可能に連結されている。第１リンク部材２２Ａ、第２リンク部材２３Ａ、ワッシャ４３は、リンク連結軸４２のフランジ部と止め輪４４との間に挟まれて、リンク連結軸４２の軸線方向の移動が規制され、リンク連結軸４２を中心に揺動可能に連結されている。他方の側板１０Ｂ側にも、図４の構成を反転させた構成のものが設けられており、第１リンク部材２２Ｂの他方の端部と第２リンク部材２３Ｂの一方の端部が、リンク連結軸（図示せず）を介して揺動可能に連結されている。第２リンク部材２３Ａの他方の端部は、蓋開閉作動軸３７の一方の端部にねじ部材３７ａで締結固定されている（図１、２、５参照）。第２リンク部材２３Ｂの他方の端部は、蓋開閉作動軸３７の他方の端部にねじ部材３７ａで締結固定されている。
【００２８】
開閉蓋１５の左右方向の両端には、蓋保持部材１６が設けられている。開閉蓋１５は、蓋保持部材１６にねじ部材１７で一体に固定されている。開閉蓋１５は、合成樹脂、または、粉砕処理された茶殻が配合されている合成樹脂〔例えば、茶殻配合ＰＰ（ポリプロピレン）〕製のものであって、射出成形等で成形されている。茶殻配合の合成樹脂で成形された開閉蓋は、抗菌効果が生じるものとなり、医療廃棄物を収集する容器本体の開閉蓋に好適である。また、開閉蓋１５は、所定の期間毎、または、所定の容器本体交換回数毎に、交換するとよい。このとき、開閉蓋１５は、蓋保持部材１６に対してねじ部材１７で着脱可能になっているので交換が容易な構成になっている。蓋保持部材１６の内方側板１６ｃには、円弧状長穴部１６ａと、穴部１６ｂとが形成されている。円弧状長穴部１６ａは、穴部１６ｂの穴中心部を中心とする円弧の一部に形成されている。蓋保持部材１６の穴部１６ｂには、蓋回動支点軸３６が挿入され、蓋保持部材１６及び開閉蓋１５は蓋回動支点軸３６を中心に揺動する。蓋開閉作動軸３７は、円弧状長穴１６ａに挿入され、医療関係者等がペダル部材２１を踏み込み、第２リンク部材２３Ａ及び第２リンク部材２３Ｂを揺動運動させたとき、開閉蓋１５及び蓋保持部材１６を蓋回動支点軸３６を中心とする回動運動をさせる。
【００２９】
また、他方の側板１０Ｂ側にも、図２、４〜６に示した一方の蓋開閉リンク機構を反転させた構成の他方の蓋開閉リンク機構が設けられ、一対の蓋開閉リンク機構の構成になっている。一方の蓋開閉リンク機構、他方の蓋開閉リンク機構は、ペダル部材２１の踏み込み運動を開閉蓋１５の開閉運動に伝達するためのリンク機構である。このように一対の蓋開閉リンク機構とすることにより、蓋開閉動作がスムースに行え、開閉蓋１５の開閉動作の信頼性を向上させることができる。言い換えると、第１リンク部材２２Ａ、第２リンク部材２３Ａ、リンク支軸４０Ａ、リンク連結軸４２等からなる一方の蓋開閉リンク機構と、第１リンク部材２２Ｂ、第２リンク部材２３Ｂ、リンク支軸４０Ｂ、リンク連結軸等からなる他方の蓋開閉リンク機構で蓋開閉リンク機構２０が構成されている。
【００３０】
この回収容器用スタンド１に、保持される感染性廃棄物の回収容器（以下、回収容器と記載）について、簡単に説明を行う。回収容器は、容器本体５１と蓋体（図示せず）とから構成されている。容器本体５１、蓋体は、合成樹脂製で、射出成形等で成形することで製造されている。容器本体５１、蓋体は、リサイクルにより分別回収された樹脂原料を含む原料を使用し、射出成形等で成形されたものである。このように再生材料を有効活用した合成樹脂製とすることで地球環境に優しいものとすることができる。容器本体５１の上方は、廃棄物を投入するための開口部となっている。また、回収容器を収集運搬するときには、容器本体５１の開口部を覆うように蓋体を被せた後、密閉させ、容器本体５１の収容部から容器本体５１の外部に血液等液体が漏出しないようになっている。
【００３１】
回収容器用スタンド１の使用方法について説明を行う。
医療廃棄物を廃棄する医療関係者、収集運搬を行う収集運搬関係者等は、ペダル部材２１を足で下方側に踏み込み、蓋開閉リンク機構２０を介して、開閉蓋１５を、蓋開閉支点軸３６を中心に上方側に回動させる。すなわち、第１リンク部材２２Ａ”、蓋体１５”で示した状態から、ペダル部材２１を踏み込み、第１リンク部材２２Ａ’、蓋体１５’等で示した状態にする（図２、６参照）。スタンド本体５の上部側から、蓋体を外した容器本体５１を挿入し（図２に示した容器本体５１’の図参照）、スタンド本体５の空間部７内に位置させ、容器本体５１が床面Ｇ上に直に置かれるように設置する（図２に示した容器本体５１の図参照）。医療関係者、収集運搬関係者等がペダル部材２１の踏み込みをやめると、開閉蓋１５は蓋開閉支点軸３６を中心に自重で下方側に回動し、開閉蓋１５で容器本体５１の開口部を塞ぎ、閉状態とする。すなわち、第１リンク部材２２Ａ、開閉蓋１５等で示した状態となる（図２、６参照）。
【００３２】
医療関係者等が医療廃棄物を容器本体５１内に投入する場合には、ペダル部材２１を下方側に踏み込み、蓋開閉リンク機構２０を介して、開閉蓋１５を蓋開閉支点軸３６を中心に上方（開状態）側に回動させる（図２、６に示した開閉蓋１５’の図参照）。容器本体５１の開口部から医療廃棄物を容器本体５１内に投入する。投入後、医療関係者等がペダル部材２１の踏み込みをやめると、開閉蓋１５が自重で下方（閉状態）側に回動し、容器本体５１の開口部を開閉蓋１５で塞ぐ。
【００３３】
容器本体５１に、医療廃棄物が所定量以上溜まった場合、医療関係者、収集運搬関係者等は、ペダル部材２１を踏み込み、開閉蓋１５を上方側に回動させ（図２、６に示した開閉蓋１５’の図参照）、開閉蓋１５と容器本体５１との間から蓋体（図示せず）を差し入れ、容器本体５１に蓋体を被せ、密閉する。このとき、蓋体に所定の力をかけて、蓋体を容器本体５１側に押し込まないと蓋体は密閉されないが、容器本体５１は床面Ｇ上に直に設置されているので、容器本体５１がバランスを崩して倒れそうになったり、転倒することが生じない。収集運搬関係者等が、容器本体５１が蓋体で密閉された回収容器を、スタンド本体５の空間部７内から取り出す。この回収容器を取り出すときには、容器本体５１の開口部が蓋体で密閉された状態になっているため、容器本体５１内の血液等液体が回収容器の外部に漏出するおそれが全くなく安全である。
【００３４】
また、この回収容器用スタンド１は、容器本体５１の重量、蓋体を押し込むための荷重等を支持する必要がなく、容器本体５１が転倒しないように４方の側面から保持していればよい。そのため、この回収容器用スタンド１は、開閉蓋１５、開閉蓋を開閉させる蓋開閉リンク機構２０等を支持するだけの剛性があればよく、従来の回収容器用スタンドより剛性を必要しないので、軽量化を図ることができる。回収容器用スタンド１が軽量化できることは、搬送、設置、移動等の作業を容易にし、作業性、使い勝手を向上させることができる。さらに、この回収容器用スタンド１は、ペダルがスタンド本体前面側の全幅に亘って設けられている構成のものであり、動線の幅が広くなり、操作性を向上させることができる。すなわち、医療関係者等が、最適な移動経路を移動して廃棄物処理を行うことができる。
【００３５】
以上、本考案の実施の形態を種々説明したが、本考案はこれら実施の形態に限定されることはない。本考案の目的、趣旨を逸脱しない範囲内で変更可能なことはいうまでもない。例えば、スタンド本体は底板を有するものであって、容器本体が、床面に直に設置された底板の上に直に設置される形態であってもよい。また、回収容器は、再生材料を活用したものでなくてもよい。
【符号の説明】
【００３６】
１…回収容器用スタンド
５…スタンド本体
７…空間部
１０…一対の側板
１０Ａ…一方の側板
１０Ｂ…他方の側板
１１…一対の支柱部材
１１Ａ…一方の支柱部材
１１Ｂ…他方の支柱部材
１５…開閉蓋
１６…蓋保持部材
１６ａ…円弧状長穴部
１６ｂ…穴部
２０…蓋開閉リンク機構
２１…ペダル部材
２２Ａ、２２Ｂ…第１リンク部材
２３Ａ、２３Ｂ…第２リンク部材
２６…弾性ストッパ部材
３１…第１連結部材
３２…第２連結部材
３３…第３連結部材
３４…第４連結部材
３５…容器規制部材
３６…蓋回動支点軸
３７…蓋回動作動軸
４０Ａ、４０Ｂ…リンク支軸
４１…止め輪
４２…リンク連結軸
４４…止め輪
【図１】
0003165870.tif 000003
【図２】
0003165870.tif 000004
【図３】
0003165870.tif 000005
【図４】
0003165870.tif 000006
【図５】
0003165870.tif 000007
【図６】
0003165870.tif 000008